(57)【要約】【課題】水やお湯又は氷を注入して、湯たんぽや氷枕として使用できる多機能湯たんぽを提供すること【解決手段】湯たんぽ１は、銅材で形成する上部本体部１１と鉄材に亜鉛メッキを施して形成する下部本体部１２とで、本体部１０を形成する。上部本体部１１の支持面１５に、長手方向に沿って凹状に形成する第１の円弧面Ｒ１と短手方向に沿って凹状に形成する第２の円弧面Ｒ２を設ける。支持面１５には矩形駒状に形成する複数の突出部１５１を設ける。支持面１５の両側には一方に手持ち部１６を配置し他方に給湯部１７を配置する。本体部１０内には中空部１３を形成して内部に上部本体部１１と下部本体部１２とを連結するコ字状の補強板と給湯部１７内に配置する仕切り板を配置し、いずれもアルミニウム材で形成する。給湯口１７１を、氷が注入できる大きさに形成する。【選択図】図１
2010125161.tif 000002
【特許請求の範囲】
【請求項１】
上面部と下面部とを備えて中空状に形成される多機能湯たんぽであって、
上面部の長手方向に沿って、人体に接触可能な支持面と、前記支持面の両端に隣接する給湯口形成面及び上部把手形成面と、が配設され、
前記上面部の長手方向に沿って、前記支持面は、内方に向かって凹状円弧面に形成されているとともに、前記支持面の両端部は略同一高さに形成されていることを特徴とする多機能湯たんぽ。
【請求項２】
前記上面部の短手方向に沿って、前記支持面は、内方に向かって凹状円弧面に形成されていることを特徴とする請求項１記載の多機能湯たんぽ。
【請求項３】
前記支持面には、上方に突出する複数の突出部が形成されていることを特徴とする請求項１又は２記載の多機能湯たんぽ。
【請求項４】
前記上面部の中央部と前記下面部の中央部との間には、補強板が配設され、前記上面部は、銅材で形成され、前記下面部は鉄材及び亜鉛材の複合材料で形成され、前記補強板はアルミニウム材で形成されていることを特徴とする請求項１，２又は３のいずれかに記載の多機能湯たんぽ。
【請求項５】
前記下面部における、前記上面部の上部把手形成面と対向する面に、下部把手形成面が形成されるとともに、前記上部把手形成面と前記下部把手形成面には、それぞれ凹部が形成され、それぞれの前記凹部間には、断熱性樹脂部材が圧着されていることを特徴とする請求項１，２，３又は４のいずれかに記載の多機能湯たんぽ。
【発明の詳細な説明】
【技術分野】
【０００１】
本発明は多機能湯たんぽに関する。ここで多機能湯たんぽとは、給湯口からお湯を注入して、温度を上げて保温する湯たんぽ機能と、給湯口から氷を注入して温度を下げて保冷する氷枕機能とを備えるとともに、人体における、足部や頭部、また腰部あるいは膝部等に接触させて保温又は保冷ができ、さらには、ペットの保温又は保冷用の湯たんぽとして使用することができるものとする。
【背景技術】
【０００２】
湯たんぽは、一般的には両面が突状の円弧部を有して小判状に形成され、お湯を注入して、布団の中に収納して足を載せることによって保温するものとして使用されていた。また、改良された湯たんぽは、特許文献１に示すものや特許文献２に示すものが知られている。
【０００３】
例えば、特許文献１によれば、全体として偏平に形成された、中空本体の上面側に注湯部を有しているプラスチック製の湯たんぽであって、中空本体を、中央に凹所を有する円型環状の平面部に形成し、かつ本体環状の横断面形を略円形に形成したものである。この湯たんぽでは、湯量八分目で使用しても変形せず、また、本体内上部に残る空気及び中央の凹所にて対流により立ち上がる空気を加熱媒体として、軟らかく暖めることができることとなっていた。
【０００４】
また、特許文献２によれば、湯たんぽを足温器などと両用可能にするとともに、十分な対変形性を有し、足温器、ストレッチ用具及び指圧器としても使用できるものとして構成されている。つまり、特許文献２の湯たんぽは、プラスチック製で形成されるとともに、湯たんぽ本体の側面形状を、一端が低く他端が高くするものとしている。湯たんぽ本体の傾斜した上面には、足温器として使用するために凹凸からなる表示模様を形成し、高いほうの他端部に凹部を形成して注湯口を設けている。また、湯たんぽ本体の下面側には、人体背面の腰部に適合した曲面を形成するとともに、下面における他端部側の高いほうに指圧突起を設けている。これによって多用途湯たんぽを形成していた。
【特許文献１】特開２００４−６１００７公報
【特許文献２】特開２００７−２６０１４７公報
【発明の開示】
【発明が解決しようとする課題】
【０００５】
しかし、湯たんぽは、お湯や水を注入することができ、保温や保冷に適した容器とする枕として使用することが望まれる。例えば、寒い季節には、湯たんぽにお湯を注入ことによって頭部が温まって熟睡でき、暑い季節には、湯たんぽに水を注入することによって、頭部を冷やしてやはり熟睡でき、さらに、身体の不調で高熱がある場合には、例えば、湯たんぽに氷を注入することによって氷枕として使用することが望まれる。湯たんぽを、足温器と使用するだけでなく枕として使用する場合には、頭部が湯たんぽから落下することなく安定して収容できるように形成することが必要となる。しかし、一般的に使用されている湯たんぽは両面が突状の円弧状に形成されていることから、頭部が落下し易く枕に使用することは適切でない。
【０００６】
特許文献１の場合においても、中空本体を、中央に凹所を有する円型環状の平面部に形成し、かつ本体環状の横断面形を略円形に形成しているから、中央の凹所内には、頭部を収容することができず、やはり枕としては不適切であった。
【０００７】
また、特許文献２の場合では、湯たんぽ本体を横に倒したときには、上面側における一端が低く、他端が高くなるように傾斜して形成されているから、足温器やストレッチ用具あるいは指圧器として使用できても、頭部を収容することができないから枕として使用することはできなかった。また、下面側には曲面が形成されているものの、曲面は、湯たんぽ本体を立てたときに、人体の腰部に適合するように形成されているため、下面側を上面にして横に倒して枕として使用しても、下面側全体に傾斜して形成されていることから、頭部が傾き易く、やはり、枕としては適切に使用することができなかった。
【課題を解決するための手段】
【０００８】
本発明は、上述の課題を解決するものであり、足温器や指圧器又は腰部を温めるものだけでなく、さらに枕として使用できる多機能湯たんぽを提供することを目的とする。そのため、本発明は以下のように構成するものである。すなわち、
請求項１記載の発明では、面部と下面部とを備えて中空状に形成される多機能湯たんぽであって、上面部の長手方向に沿って、人体に接触可能な支持面と、前記支持面の両端に隣接する給湯口形成面及び上部把手形成面と、が配設され、前記上面部の長手方向に沿って、前記支持面は、内方に向かって凹状円弧面に形成されているとともに、前記支持面の両端部は略同一高さに形成されていることを特徴とするものである。
【０００９】
請求項２記載の発明は、請求項１の発明に係るものであって、前記上面部の短手方向に沿って、前記支持面は、内方に向かって凹状円弧面に形成されていることを特徴としている。
【００１０】
請求項３記載の発明は、請求項１又は２の発明に係るものであって、前記支持面には、上方に突出する複数の突出部が形成されていることを特徴としている。
【００１１】
請求項４記載の発明は、請求項１，２又は３の発明に係るものであって、前記上面部の中央部と前記下面部の中央部との間には、補強板が配設され、前記上面部は、銅材で形成され、前記下面部は鉄材及び亜鉛材の複合材料で形成され、前記補強板はアルミニウム材で形成されていることを特徴としている。
【００１２】
請求項５記載の発明は、請求項１，２，３又は４の発明に係るものであって、前記下面部における、前記上面部の上部把手形成面と対向する面に、下部把手形成面が形成されるとともに、前記上部把手形成面と前記下部把手形成面には、それぞれ凹部が形成され、それぞれの前記凹部間には、断熱性樹脂部材が圧着されていることを特徴としている。
【発明の効果】
【００１３】
本発明の請求項１の構成によれば、多機能湯たんぽを枕として使用する場合、人が睡眠する際に、例えば、タオルを巻きつけた多機能湯たんぽの上面部の支持面上に人の頭部を載せて睡眠する。多機能湯たんぽの上面部は支持面の長手方向に沿って凹状円弧面に形成されているとともに、その両端部が略同一高さに形成されているから、頭部は支持面に安定して支持されることとなって支持面から落下する虞はない。この際、例えば、寒い季節に、給湯口からお湯を注入することによって、頭部を保温することができ、また、暑い季節に、水を注入することによって、睡眠中に、頭部を保冷することができる。さらに、体温が高い場合には、給湯口から氷を注入することによって、氷枕として使用することができる。
【００１４】
また、本発明の請求項２の構成によれば、多機能湯たんぽは、上面部の長手方向のみならず短手方向に沿っても凹状円弧面に形成されているから、頭部が左右方向及び前後方向においても支持されることになる。したがって、頭部はさらに安定して支持され、支持面から落下する虞はない。そのため、熟睡度を向上することができる。
【００１５】
また、本発明の請求項３の構成によれば、支持面には、上方に突出する複数の突出部が形成されていることから、支持面を、足部を載せる支持面として使用すると、足の裏面を支持面に載せることによって、突出部が足の裏を刺激することとなって、足を温めるとともに血流を向上させることができる。
【００１６】
さらに、本発明の請求項４の構成によれば、多機能湯たんぽの上面部と下面部との間を補強板で補強しているから、堅固に形成されて長期間の使用を可能とすることができる。また、多機能湯たんぽの上面部は、銅材で形成され、下面部は鉄材及び亜鉛材の複合材料で形成され、補強板はアルミニウム材で形成されているから、銅材から発生する銅イオンエネルギーにより、赤血球を作る骨髄に協力し丈夫な身体を作ることができ、また殺菌作用によって細菌の増殖を防止する。
【００１７】
また、鉄材から発生する鉄イオンエネルギーによって人体の組織に酸素を供給し、亜鉛材から発生する亜鉛イオンエネルギーによって老化防止作用及び皮膚病を防止することができる。
【００１８】
さらに、アルミニウム材から発生するアルミニウムイオンエネルギーによって、胃中の安定や粘液の保護を図るとともに、医薬品としての目薬や止血剤等と同様の効能を有することができる。
【００１９】
また、本発明の請求項５の構成によれば、給湯口からお湯を注入して支持面を保温する際、お湯は上部把手形成部と下部把手形成部との間に設けられた断熱性樹脂部材で遮られることになり、上部把手形成部と下部把手形成部には熱が伝導されない。そのため、手で上部把手形成部の凹部と下部把手形成部の凹部とを把持しても、やけどをすることなく多機能湯たんぽを持ち運ぶことができる。
【発明を実施するための最良の形態】
【００２０】
次に、本発明の多機能湯たんぽにおける実施形態について図面に基づいて説明する。
【００２１】
図１〜３に示すように、多機能湯たんぽ(以下、湯たんぽという)１は、湯たんぽ本体部（以下、本体部という）１０の高さ方向における中央部を間にして、上面部１１１を有する上部本体部１１と下面部１２１を有する下部本体部１２に分割して形成されている。上部本体部１１と下部本体部１２との合わせ面には、それぞれ上部本体部１１、下部本体部１２の外周面全周にわたって外方に突出するフランジ面１１２、１２２が形成されている。上部本体部１１のフランジ面１１２と下部本体部１２のフランジ面１２２を接合した本体部１０の内部は、中空部１３（図３〜４参照）に形成されている。
【００２２】
本体部１０は、図２における左右方向が、前後方向（上下方向）に対して長く形成されている。以下、図２における左右方向を長手方向といい、前後方向を短手方向という。
【００２３】
上部本体部１１における上面部１１１の中央部には、長手方向に沿って形成された第１の円弧面Ｒ１と、短手方向に沿って形成された第２の円弧面Ｒ２とを有する支持面１５が配置されている。第１の円弧面Ｒ１の曲率半径は、第２の円弧面Ｒ２の曲率半径より小さく形成されて人の頭の大きさに適合できるようにしている。支持面１５には、第１の円弧面Ｒ１および第２の円弧面Ｒ２に沿って、複数の突出部１５１が上方に突出して形成されている。実施形態の突出部１５１は、上方に向かって矩形駒状に形成されている。支持面１５の両側における一方の側には、手持ち部１６が形成され、他方の側には、給湯口１７１が形成されるとともに湯量計１８を装着した給湯部１７が形成されている。給湯口１７１には給湯キャップ１９が装着されている。
【００２４】
上面部１１１の手持ち部１６は、支持面１５の一端に形成された頂点部１５２から下方に向かって傾斜するとともに、中央部に略矩形の凹部１６１が形成されている。手持ち部１６の先端部（支持面１５と反対側の部位）は、把手部１６２を形成するために厚肉状に形成されている。
【００２５】
上面部１１１の給湯部１７は、支持面１５の他端に形成された頂点部１５３より低位置に形成された凹状段部を有し、上段部１７２に前述の湯量計１８が配置され、下段部１７３に前述の給湯口１７１が形成されている。給湯口１７１は、湯や水を投入するだけでなく、氷を投入するために、従来の湯たんぽの給湯口より大きく形成されている。
【００２６】
なお、支持面１５と手持ち部１６とを連接する頂点部１５２と、支持面１５と給湯部１７とを連接する頂点部１５３との高さ位置は略同一高さ位置に形成されている。
【００２７】
下部本体部１２の下面部１２１は、中央部に形成されるベース面２１と、ベース面２１の両端に配置される下部手持ち部２２と下部給湯部２３とを有して形成されている。ベース面２１は、短手方向に沿って形成された溝部２１１を複数本並設するとともに全体的に平坦状に形成されている。それぞれの溝部２１１は、中空部１３内に突出する肉部を有して閉口されている。
【００２８】
下面部１２１の下部手持ち部２２は、上面部１１１の手持ち部１６と対向して形成され、ベース面２１の一端から上方に向かって傾斜するとともに、中央部に略矩形の凹部２２１が形成されている。下部手持ち部２２の先端部（ベース面２１と反対側の部位）には、把手部２２２を形成するために厚肉状に形成されている。上面部１１１の手持ち部１６に形成された凹部１６１及び把手部１６２と、下面部１２１の下部手持ち部２２に形成された凹部２２１と把手部２２２と、の間には、薄肉状の断熱性樹脂部材２０が圧着されている。
【００２９】
中空部１３は、湯や水・氷等が充填される収納室として形成されるとともに、中空部１３には上部本体部１１と下部本体部１２とを連結するための補強板２５が配置されている。図３〜５に示すように、補強板２５は、上面部１１１の支持面１５と下面部１２１のベース面２１とを連結するように、中空部１３の長手方向と短手方向との略中央位置に給湯部１７側に開口するコ字状に形成されて配置されている。
【００３０】
また、中空部１３内では、図５に示すように、湯や水・氷等が充填される収納室と湯量計１８とを仕切るＬ字状の仕切り板２６が配置されている。仕切り板２６は、氷を通さずに水や湯を通す通し孔２６１が多数に形成されている。
【００３１】
なお、この湯たんぽ１は、３元素金属で形成して金属イオンエネルギーを発生するようにしている。つまり、湯たんぽ１の上部本体部１１は、銅材で形成して銅イオンエネルギーを発生させ、下部本体部１２は、鉄材に亜鉛メッキを被覆するように形成して亜鉛イオンエネルギー及び鉄イオンエネルギーを発生させ、補強板２５及び仕切り板２６はアルミニウム材で形成してアルミニウムイオンエネルギーを発生させている。
【００３２】
銅材から発生する銅イオンエネルギーにより、赤血球を作る骨髄に協力し丈夫な身体を作ることができ、また殺菌作用によって細菌の増殖を防止する。
【００３３】
鉄材から発生する鉄イオンエネルギーによって、人体の組織に酸素供給をし、亜鉛材から発生する亜鉛イオンエネルギーによって老化防止作用及び皮膚病を防止する。
【００３４】
さらに、アルミニウム材から発生するアルミニウムイオンエネルギーによって、胃中の安定や粘液の保護を図るとともに、医薬品としての目薬や止血剤等と同様の効能を有することができる。
【００３５】
次に、上述のように構成された湯たんぽの使用状態について説明する。
【００３６】
湯たんぽ１の給湯口１７１から、水やお湯等の流体を注入することによって、湯たんぽ１内では、中空部１３に水やお湯が充填される。中空部１３内に注入された流体は、中空部１３内に充填されるとともに、中空部１３と湯量計１８とを仕切る仕切り板２６の通し孔２６１を通って湯量計１８の周りに充填される。そのため、湯たんぽ１内の流体の量を一目で確認することできる。流体を注入した後は給湯キャップ１９で給湯口１７１を塞ぐ。なお、水やお湯の給湯量は、中空部１３の全容量に対して約８分目となる量に充填することが望ましい。
【００３７】
湯たんぽ１を保温器具として使用する場合、例えば、湯たんぽ１内に注入する流体としてお湯を注入することになり、睡眠する際に布団の中に入れて身体を暖める。この場合、第１の使用形態においては、湯たんぽ１の上部本体部１１を上方にし、下部本体部１２を下方にして使用者の足元に配置する。使用者の足を上部本体部１１の支持面１５に載置する。支持面１５は、両端の頂点部１５２、１５３から下方に向かう凹状に形成されているため、支持面１５に載置した足を湯たんぽ１から落下させない。
【００３８】
第２の使用形態として、使用者の腰の周りや膝を保温する場合には、湯たんぽ１を使用者の腰の周りや膝に配置させて、上部本体部１１の支持面１５に使用者の腰部や膝を当てる。支持面１５は、内方に向かって凹状円弧面Ｒ１、Ｒ２に形成されているため、腰や膝に当てやすい。
【００３９】
また、第３の使用形態として、頭を保温する場合には、使用者の頭を、支持面１５上に載置する。この場合、支持面１５には、複数の突出部１５１が配置されているから、使用者の頭を直接支持面１５に当てることを避けるために、例えば、厚手の布やタオル等を湯たんぽ１の周りに巻き付けておくとよい。支持面１５に形成された円弧面(第１の円弧面Ｒ１、第２の円弧面Ｒ２)は、もともと、人の頭に合わせてその曲率半径が形成されているため、支持面１５に載置した人の頭は、湯たんぽ１から落下しない安定した状態で支持面１５に置かれることになり、熟睡できることとなる。また、複数の突出部１５１は、矩形駒状に形成されているために、人の頭を刺激しすぎることなく適度の刺激となって人の頭に接触することになる。
【００４０】
なお、湯たんぽ１を持ち運ぶ際には、手持ち部１６の把手部１６２及び下部手持ち部２２の把手部２２２を持つことになるが、お湯が熱い場合でも、手持ち部１６と下部手持ち部２２との間には、断熱性樹脂部材２０を介在しているから、把手部１６２、２２１には、熱が伝わり難く安心して持ち運びを行うことができる。
【００４１】
また、第４の実施形態として、この湯たんぽ１を保冷器具として使用する場合、給湯口１７１から水とともに氷を注入する。給湯口１７１は、従来の湯たんぽより幅広に形成しているため、適度の大きさの氷を注入することが可能である。氷は中空部１３内に注入することができるものの、仕切り板２６に形成された通し孔２６１を通らないことから湯量計１８の周りには注入されない。つまり、氷が湯量計１８の指針に干渉することによって指針の位置を狂わせる、ことを防止している。
【００４２】
また、例えば、風邪を引くことによって体温が高くなっている場合には、湯たんぽ１に氷を注入し、厚手の布やタオル等で巻きつけた後、頭の下に配置する。つまり氷枕として使用することになる。これによって、体温を下げることができる。
【００４３】
さらに、この湯たんぽ１を、布団の中に入れて使用する場合以外でも、単に足を乗せたり、腰の周りに当てたりすることによって、周囲の環境に合わせて保温又は保冷、あるいは血行をよくするために使用する。また、ペットがいる家庭では、冬の寒いときには、ペットを湯たんぽ１の支持面１５に載せて暖めさせることができる。
【００４４】
上述のように、実施形態の湯たんぽ１によれば、頭や足あるいは腰部に接触する支持面１５が、長手方向と短手方向に沿って、下方に向かって凹状に形成されるとともに、支持面１５の両端の頂点部１５２、１５３が略同一の高さに形成されていることから、支持面１５に頭や足を載置しても、頭や足が支持面１５から落下することなく安定した状態を形成することができ、睡眠中であれば熟睡することができる。
【００４５】
また、給湯口１７１から、お湯を注入することによって、冬の寒い日では、保温することができる湯たんぽとして使用することができ、給湯口１７１に水を注入することによって、夏の暑い日では、保冷器具として使用することができる。また、水とともに氷を注入することによって、氷枕として使用することができることから、体温が高い場合に、熱さましとして使用することができる。つまり１年中使用することができる。
【００４６】
さらに、上部本体部１１が銅材で形成され、下部本体部１２が鉄材に亜鉛メッキを施して形成され、内部の補強板２５や仕切り板２６がアルミニウム材で形成されていることから、３元素金属イオンエネルギーを発生させることができる。金属イオンエネルギーを身体内に浸透させることによって、人体の細胞を活性化させて、健康な身体を作ることができる。
【００４７】
また、湯たんぽ１の中空部１３内に、上部本体部１１と下部本体部１２とを連結する補強板２５を配置することによって、耐久性のある本体部１０を形成することができて、長期間の使用を図ることができる。
【００４８】
なお、本発明の多機能湯たんぽは、上述の形態に限定するものではない。例えば、支持面１５が、長手方向に形成された第１の円弧面Ｒ１を有しているものであれば、短手方向に形成された第２の円弧面Ｒ２を削除して平面状に形成してもよく、また、支持面１５に配置された複数の突出部１５１を削除してもよい。
【００４９】
さらに、把手部１６２、２２２を本体部１０に一体的に形成するものでなくても、把手部材を別の部材で形成して本体部１０の一部に取り付けてもよい。この場合、手持ち部１６に形成された凹部１６１及び下部手持ち部２２に形成された凹部２２１を削除することができる。
【図面の簡単な説明】
【００５０】
【図１】本発明の実施形態を示す湯たんぽの全体斜視図である。
【図２】図１における湯たんぽの平面図である。
【図３】図１における湯たんぽを長手方向に沿って切断した正面断面図である。
【図４】図１における湯たんぽを短手方向に沿って切断した側面断面図である。
【図５】図１における湯たんぽを短手方向に沿って切断した斜視図である。
【符号の説明】
【００５１】
１、多機能湯たんぽ(湯たんぽ)
１０、本体部
１１、上部本体部
１１１、上面部
１２、下部本体部
１３、中空部
１５、支持面
１５１、突出部
１５２、頂点部
１５３、頂点部
１６、手持ち部
１６２、把手部
１７、給湯部
１７１、給湯口
１８、湯量計
１９、湯量キャップ
２０、断熱性樹脂材
２２、下部手持ち部
２２２、把手部
２５、補強板
２６、仕切り板
２６１、通し孔
【図１】
2010125161.tif 000003
【図２】
2010125161.tif 000004
【図３】
2010125161.tif 000005
【図４】
2010125161.tif 000006
【図５】
2010125161.tif 000007